【手続補正書】
【提出日】平成22年10月1日(2010.10.1)
【手続補正１】
【補正対象書類名】特許請求の範囲
【補正対象項目名】全文
【補正方法】変更
【補正の内容】
【特許請求の範囲】
【請求項１】
効果顔料を含有する対象コーティングの外観特性を取得する方法であって、
ａ）固定照明角でかつさまざまな照度で前記対象コーティングに照明を施す工程と、
ｂ）前記対象コーティングの前記効果顔料がさまざまな明るさを呈する有効照度を選択する工程と、
ｃ）撮像デバイスを用いて前記有効照度下で前記対象コーティングの少なくとも１つの画像を取り込む工程と、
ｄ）前記効果顔料が最大の明るさを呈する前記画像の明領域に由来する一連の明フィーチャーと、前記効果顔料が中間の明るさを呈する前記画像の中間領域に由来する一連の中間フィーチャーと、前記対象コーティングが検出可能な前記効果顔料を本質的に含まない前記画像の暗領域に由来する一連の暗フィーチャーと、を含む外観フィーチャーを、計算デバイスにより前記画像から同定する工程と、
ｅ）前記外観フィーチャーに基づいて個別フィーチャー値を生成する工程と、
ｆ）前記個別フィーチャー値に基づいて前記外観特性を生成する工程と、
を含む方法。
【請求項２】
代替効果顔料を含有する代替コーティングの外観を、対象効果顔料を含有する対象コーティングと比較する方法であって、
ａ）固定照明角でかつさまざまな照度で前記対象コーティングまたは前記代替コーティングに照明を施す工程と、
ｂ）効果顔料を有する前記対象コーティングまたは前記代替コーティングのうちの少なくとも一方がさまざまな明るさを呈する有効照度を選択する工程と、
ｃ）撮像デバイスを用いて前記有効照度下で前記対象コーティングの少なくとも１つの対象画像と前記代替コーティングの少なくとも１つの代替画像とを取り込む工程と、
ｄ）前記対象画像の対象フィーチャーと前記代替画像の代替フィーチャーとを計算デバイスにより同定する工程であって、
前記対象フィーチャーは、前記対象効果顔料が最大の明るさを呈する前記対象画像の明領域に由来する一連の対象明フィーチャーと、前記対象効果顔料が中間の明るさを呈する前記対象画像の中間領域に由来する一連の対象中間フィーチャーと、前記対象コーティングが検出可能な前記対象効果顔料を本質的に含まない前記対象画像の暗領域に由来する一連の対象暗フィーチャーと、を含み、かつ
前記代替フィーチャーは、前記代替効果顔料が最大の明るさを呈する前記代替画像の明領域に由来する一連の代替明フィーチャーと、前記代替効果顔料が中間の明るさを呈する前記代替画像の中間領域に由来する一連の代替中間フィーチャーと、前記代替コーティングが検出可能な前記代替効果顔料を本質的に含まない前記代替画像の暗領域に由来する一連の代替暗フィーチャーと、を含む工程と、
ｅ）前記対象フィーチャーに基づく個別対象フィーチャー値と前記代替フィーチャーに基づく個別代替フィーチャー値とを生成する工程と、
ｆ）前記個別対象フィーチャー値に基づく対象外観特性と前記個別代替フィーチャー値に基づく代替外観特性とを生成する工程と、
ｇ）前記代替外観特性と前記対象外観特性とを比較することにより前記代替コーティングの外観と前記対象コーティングの外観とを比較する工程と、
を含む方法。
【請求項３】
効果顔料を含有する対象コーティングの外観特性を生成するシステムであって、
ａ）コーティングの施された前記対象に固定照明角でかつさまざまな照度で照明を施す手段と、
ｂ）前記対象コーティングの前記効果顔料がさまざまな明るさを呈する有効照度を選択する手段と、
ｃ）前記有効照度下で前記対象コーティングの少なくとも１つの対象画像を取り込む撮像デバイスと、
ｄ）ディスプレイ要素とメモリー要素とプロセッサーとを含む計算デバイスと、
ｅ）以下の工程、すなわち、
ｉ）前記撮像デバイスから前記対象画像を受信する工程と、
ｉｉ）前記効果顔料が最大の明るさを呈する前記画像の明領域に由来する一連の明フィーチャーと、前記効果顔料が中間の明るさを呈する前記画像の中間領域に由来する一連の中間フィーチャーと、前記対象コーティングが検出可能な前記効果顔料を本質的に含まない前記画像の暗領域に由来する一連の暗フィーチャーと、を含む外観フィーチャーを、前記計算デバイスにより前記対象画像から同定する工程と、
ｉｉｉ）前記外観フィーチャーに基づいて個別フィーチャー値を生成する工程と、
ｉｖ）前記個別フィーチャー値に基づいて前記外観特性を生成する工程と、
を含む計算プロセスを前記計算デバイスに実行させるための、前記メモリー要素中に存在するコンピュータープログラムプロダクトと、
を含むシステム。
【請求項４】
代替効果顔料を含有する代替コーティングの外観を、対象効果顔料を含有する対象コーティングと比較するシステムであって、
ａ）固定照明角でかつさまざまな照度で前記対象コーティングまたは前記代替コーティングに照明を施す手段と、
ｂ）効果顔料を有する前記対象コーティングまたは前記代替コーティングのうちの少なくとも一方がさまざまな明るさを呈する有効照度を選択する手段と、
ｃ）前記有効照度下で前記対象コーティングの少なくとも１つの対象画像と前記代替コーティングの少なくとも１つの代替画像とを取り込む撮像デバイスと、
ｄ）ディスプレイ要素とメモリー要素とプロセッサーとを含む計算デバイスと、
ｅ）以下の工程、すなわち、
ｉ）前記撮像デバイスから前記対象画像と前記代替画像とを受信する工程と、
ｉｉ）前記対象画像の対象フィーチャーと前記代替画像の代替フィーチャーとを同定する工程であって、
前記対象フィーチャーは、前記対象効果顔料が最大の明るさを呈する前記対象画像の明領域に由来する一連の対象明フィーチャーと、前記対象効果顔料が中間の明るさを呈する前記対象画像の中間領域に由来する一連の対象中間フィーチャーと、前記対象コーティングが検出可能な前記対象効果顔料を本質的に含まない前記対象画像の暗領域に由来する一連の対象暗フィーチャーと、を含み、かつ
前記代替フィーチャーは、前記代替効果顔料が最大の明るさを呈する前記代替画像の明領域に由来する一連の代替明フィーチャーと、前記代替効果顔料が中間の明るさを呈する前記代替画像の中間領域に由来する一連の代替中間フィーチャーと、前記代替コーティングが検出可能な前記代替効果顔料を本質的に含まない前記代替画像の暗領域に由来する一連の代替暗フィーチャーと、を含む工程と、
ｉｉｉ）前記対象フィーチャーに基づく個別対象フィーチャー値と前記代替フィーチャーに基づく個別代替フィーチャー値とを生成する工程と、
ｉｖ）前記個別対象フィーチャー値に基づく対象外観特性と前記個別代替フィーチャー値に基づく代替外観特性とを生成する工程と、
ｖ）前記代替外観特性と前記対象外観特性とを比較することにより前記代替コーティングの外観と前記対象コーティングの外観とを比較する工程と、
を含む計算プロセスを前記計算デバイスに実行させるための、前記メモリー要素中に存在するコンピュータープログラムプロダクトと、
を含むシステム。
【手続補正２】
【補正対象書類名】明細書
【補正対象項目名】００６４
【補正方法】変更
【補正の内容】
【００６４】
表 6. 外観比較に関する結果
2010506169.tif 000001
また、好ましい実施態様として、本発明を次のように構成することもできる。
１．  効果顔料を含有する対象コーティングの外観特性を取得する方法であって、
ａ）固定照明角でかつさまざまな照度で前記対象コーティングに照明を施す工程と、
ｂ）前記対象コーティングの前記効果顔料がさまざまな明るさを呈する有効照度を選択する工程と、
ｃ）撮像デバイスを用いて前記有効照度下で前記対象コーティングの少なくとも１つの画像を取り込む工程と、
ｄ）前記効果顔料が最大の明るさを呈する前記画像の明領域に由来する一連の明フィーチャーと、前記効果顔料が中間の明るさを呈する前記画像の中間領域に由来する一連の中間フィーチャーと、前記対象コーティングが検出可能な前記効果顔料を本質的に含まない前記画像の暗領域に由来する一連の暗フィーチャーと、を含む外観フィーチャーを、計算デバイスにより前記画像から同定する工程と、
ｅ）前記外観フィーチャーに基づいて個別フィーチャー値を生成する工程と、
ｆ）前記個別フィーチャー値に基づいて前記外観特性を生成する工程と、
を含む方法。
２．  前記効果顔料がゴニオアパレントフレークである、上記１に記載の方法。
３．  前記対象コーティングが自動車の車体の表面に固定されている、上記１に記載の方法。
４．  前記撮像デバイスがディジタルイメージャーである、上記１に記載の方法。
５．  代替効果顔料を含有する代替コーティングの外観を、対象効果顔料を含有する対象コーティングと比較する方法であって、
ａ）固定照明角でかつさまざまな照度で前記対象コーティングまたは前記代替コーティングに照明を施す工程と、
ｂ）効果顔料を有する前記対象コーティングまたは前記代替コーティングのうちの少なくとも一方がさまざまな明るさを呈する有効照度を選択する工程と、
ｃ）撮像デバイスを用いて前記有効照度下で前記対象コーティングの少なくとも１つの対象画像と前記代替コーティングの少なくとも１つの代替画像とを取り込む工程と、
ｄ）前記対象画像の対象フィーチャーと前記代替画像の代替フィーチャーとを計算デバイスにより同定する工程であって、
前記対象フィーチャーは、前記対象効果顔料が最大の明るさを呈する前記対象画像の明領域に由来する一連の対象明フィーチャーと、前記対象効果顔料が中間の明るさを呈する前記対象画像の中間領域に由来する一連の対象中間フィーチャーと、前記対象コーティングが検出可能な前記対象効果顔料を本質的に含まない前記対象画像の暗領域に由来する一連の対象暗フィーチャーと、を含み、かつ
前記代替フィーチャーは、前記代替効果顔料が最大の明るさを呈する前記代替画像の明領域に由来する一連の代替明フィーチャーと、前記代替効果顔料が中間の明るさを呈する前記代替画像の中間領域に由来する一連の代替中間フィーチャーと、前記代替コーティングが検出可能な前記代替効果顔料を本質的に含まない前記代替画像の暗領域に由来する一連の代替暗フィーチャーと、を含む工程と、
ｅ）前記対象フィーチャーに基づく個別対象フィーチャー値と前記代替フィーチャーに基づく個別代替フィーチャー値とを生成する工程と、
ｆ）前記個別対象フィーチャー値に基づく対象外観特性と前記個別代替フィーチャー値に基づく代替外観特性とを生成する工程と、
ｇ）前記代替外観特性と前記対象外観特性とを比較することにより前記代替コーティングの外観と前記対象コーティングの外観とを比較する工程と、
を含む方法。
６．  前記効果顔料がゴニオアパレントフレークである、上記５に記載の方法。
７．  前記対象コーティングが自動車の車体の表面に固定されている、上記５に記載の方法。
８．  前記撮像デバイスがディジタルイメージャーである、上記５に記載の方法。
９．  効果顔料を含有する対象コーティングの外観特性を生成するシステムであって、
ａ）コーティングの施された前記対象に固定照明角でかつさまざまな照度で照明を施す手段と、
ｂ）前記対象コーティングの前記効果顔料がさまざまな明るさを呈する有効照度を選択する手段と、
ｃ）前記有効照度下で前記対象コーティングの少なくとも１つの対象画像を取り込む撮像デバイスと、
ｄ）ディスプレイ要素とメモリー要素とプロセッサーとを含む計算デバイスと、
ｅ）以下の工程、すなわち、
ｉ）前記撮像デバイスから前記対象画像を受信する工程と、
ｉｉ）前記効果顔料が最大の明るさを呈する前記画像の明領域に由来する一連の明フィーチャーと、前記効果顔料が中間の明るさを呈する前記画像の中間領域に由来する一連の中間フィーチャーと、前記対象コーティングが検出可能な前記効果顔料を本質的に含まない前記画像の暗領域に由来する一連の暗フィーチャーと、を含む外観フィーチャーを、前記計算デバイスにより前記対象画像から同定する工程と、
ｉｉｉ）前記外観フィーチャーに基づいて個別フィーチャー値を生成する工程と、
ｉｖ）前記個別フィーチャー値に基づいて前記外観特性を生成する工程と、
を含む計算プロセスを前記計算デバイスに実行させるための、前記メモリー要素中に存在するコンピュータープログラムプロダクトと、
を含むシステム。
１０．  前記効果顔料がゴニオアパレントフレークである、上記９に記載の方法。
１１．  前記対象コーティングが自動車の車体の表面に固定されている、上記９に記載の方法。
１２．  前記撮像デバイスがディジタルイメージャーである、上記９に記載の方法。
１３．  代替効果顔料を含有する代替コーティングの外観を、対象効果顔料を含有する対象コーティングと比較するシステムであって、
ａ）固定照明角でかつさまざまな照度で前記対象コーティングまたは前記代替コーティングに照明を施す手段と、
ｂ）効果顔料を有する前記対象コーティングまたは前記代替コーティングのうちの少なくとも一方がさまざまな明るさを呈する有効照度を選択する手段と、
ｃ）前記有効照度下で前記対象コーティングの少なくとも１つの対象画像と前記代替コーティングの少なくとも１つの代替画像とを取り込む撮像デバイスと、
ｄ）ディスプレイ要素とメモリー要素とプロセッサーとを含む計算デバイスと、
ｅ）以下の工程、すなわち、
ｉ）前記撮像デバイスから前記対象画像と前記代替画像とを受信する工程と、
ｉｉ）前記対象画像の対象フィーチャーと前記代替画像の代替フィーチャーとを同定する工程であって、
前記対象フィーチャーは、前記対象効果顔料が最大の明るさを呈する前記対象画像の明領域に由来する一連の対象明フィーチャーと、前記対象効果顔料が中間の明るさを呈する前記対象画像の中間領域に由来する一連の対象中間フィーチャーと、前記対象コーティングが検出可能な前記対象効果顔料を本質的に含まない前記対象画像の暗領域に由来する一連の対象暗フィーチャーと、を含み、かつ
前記代替フィーチャーは、前記代替効果顔料が最大の明るさを呈する前記代替画像の明領域に由来する一連の代替明フィーチャーと、前記代替効果顔料が中間の明るさを呈する前記代替画像の中間領域に由来する一連の代替中間フィーチャーと、前記代替コーティングが検出可能な前記代替効果顔料を本質的に含まない前記代替画像の暗領域に由来する一連の代替暗フィーチャーと、を含む工程と、
ｉｉｉ）前記対象フィーチャーに基づく個別対象フィーチャー値と前記代替フィーチャーに基づく個別代替フィーチャー値とを生成する工程と、
ｉｖ）前記個別対象フィーチャー値に基づく対象外観特性と前記個別代替フィーチャー値に基づく代替外観特性とを生成する工程と、
ｖ）前記代替外観特性と前記対象外観特性とを比較することにより前記代替コーティングの外観と前記対象コーティングの外観とを比較する工程と、
を含む計算プロセスを前記計算デバイスに実行させるための、前記メモリー要素中に存在するコンピュータープログラムプロダクトと、
を含むシステム。
１４．  前記効果顔料がゴニオアパレントフレークである、上記１３に記載の方法。
１５．  前記対象コーティングが自動車の車体の表面に固定されている、上記１３に記載の方法。
１６．  前記撮像デバイスがディジタルイメージャーである、上記１３に記載の方法。
１７．  前記フィーチャーおよび前記外観特性を記憶しかつ取り出すためのデータベースをさらに含み、前記データベースが前記計算デバイスからアクセス可能である、上記１３〜１６のいずれか一項に記載のシステム。
１８．  前記撮像デバイスが、有線接続または無線接続を介して前記計算デバイスに作動的に結合されている、上記１３〜１６のいずれか一項に記載のシステム。